(57)【要約】【課題】  より確実に、画面の回動に応じて画像の向きを切り替える。【解決手段】  角度センサ１０１は、ディスプレイパネル部１１の回動の角度を検出する。マイクロコンピュータ１２１は、検出された角度に応じて、ディスプレイパネル部１１に表示される画像の向きの切り替えをマザーボード１２２に指示する。マザーボード１２２は、マイクロコンピュータ１２１からの画像の向きの切り替えの指示に応じて、ディスプレイパネル部１１に表示される画像の向きを切り替えるように、ディスプレイパネル部１１の表示を制御する。本発明は、画像を表示する表示装置に適用できる。【選択図】      図９
2007033960.tif 000002
【特許請求の範囲】
【請求項１】
表示部とこれを支える台座とからなる表示装置において、
前記表示部を回動自在に軸支する軸支手段と、
前記軸支手段を昇降自在に保持する保持手段と、
前記表示部が、回動させられて、前記台座に対して斜めの状態にある場合、前記表示部を前記台座に対して上昇させるように、前記表示部の上下方向の位置を規制する規制手段と、
前記表示部の回動の角度を検出する検出手段と、
検出された角度に応じて、前記表示部に表示される画像の向きの切り替えを指示する指示手段と、
画像の向きの切り替えの指示に応じて、前記表示部に表示される画像の向きを切り替えるように、前記表示部の表示を制御する表示制御手段と
を備える表示装置。
【請求項２】
前記指示手段は、第１の角度において第１の標章を前記表示部に表示させ、第２の角度において第２の標章を前記表示部に表示させるように、前記第１の標章を表示させるための光源および前記第２の標章を表示させるための光源の点滅を制御する
請求項１に記載の表示装置。
【請求項３】
前記指示手段は、起動する場合、前記第１の標章または前記第２の標章のいずれか一方を表示させてから、前記表示制御手段に前記表示部への画像の表示を指示する
請求項１に記載の表示装置。
【請求項４】
前記表示制御手段は、前記表示部に表示される画像の向きを切り替える場合、継続して実行されている時間の経過に応じた表示の処理を停止し、時間の経過に関係しない表示の処理を実行する
請求項１に記載の表示装置。
【請求項５】
前記表示制御手段は、前記表示部に表示される画像の向きを切り替える場合、継続して実行されている時間の経過に応じた表示の処理である、スライドショーの処理を停止し、時間の経過に関係しない表示の処理である、静止画像の表示の処理を実行する
請求項１に記載の表示装置。
【請求項６】
前記指示手段は、検出された角度に応じて、輝度を下げるように前記表示部を制御する
請求項１に記載の表示装置。
【請求項７】
表示部を回動自在に軸支する軸支手段と、前記軸支手段を昇降自在に保持する保持手段と、前記表示部が、回動させられて、前記表示部を支える台座に対して斜めの状態にある場合、前記表示部を前記台座に対して上昇させるように、前記表示部の上下方向の位置を規制する規制手段とを備える表示装置の表示制御方法において、
前記表示部の回動の角度を検出し、
検出された角度に応じて、前記表示部に表示される画像の向きの切り替えを指示し、
画像の向きの切り替えの指示に応じて、前記表示部に表示される画像の向きを切り替えるように、前記表示部における表示を制御する
ステップを含む表示制御方法。
【請求項８】
表示部を回動自在に軸支する軸支手段と、前記軸支手段を昇降自在に保持する保持手段と、前記表示部が、回動させられて、前記表示部を支える台座に対して斜めの状態にある場合、前記表示部を前記台座に対して上昇させるように、前記表示部の上下方向の位置を規制する規制手段と、前記表示部に表示される画像の向きを切り替えるように、前記表示部の表示を制御する表示制御手段とを備える表示装置のコンピュータに、
前記表示部の回動の角度を検出し、
検出された角度に応じて、前記表示部に表示される画像の向きの切り替えを前記表示制御手段に指示する
ステップを実行させるプログラム。
【請求項９】
請求項８に記載のプログラムが記録されている記録媒体。
【発明の詳細な説明】
【技術分野】
【０００１】
本発明は表示装置、表示制御方法、プログラム、および記録媒体に関し、特に、画面を縦長または横長とすることができるようにした表示装置、表示制御方法、プログラム、および記録媒体に関する。
【背景技術】
【０００２】
パーソナルコンピュータまたはAV（Audio Visual）機器に、デジタルスチルカメラで撮影した画像を表示させることができる。
【０００３】
ほとんどのパーソナルコンピュータまたはAV機器の画面は、横長に固定されている。この画面の縦横比が４：３であり、画面が固定されている場合、横長の画像を大きく表示することができるが、縦長の画像は、本来の大きさに比較して３／４の大きさで表示されることになる。これでは、縦長の画像の良さが十分に生かし切れているとは言えない。
【０００４】
そこで、最近のパーソナルコンピュータまたはAV機器には、画面を回動させて、横長の画像および縦長の画像をより大きく見やすく表示できるものがある。
【０００５】
従来の情報機器には、上面にキー入力部が設けられた第１ケースと、この第１ケースの上面に対向する面に表示部が設けられ、キー入力部を開閉自在に覆う第２ケースと、第１ケースにヒンジにより回動自在に設けられ、かつ第２ケースが取り付けられる支持体とを備え、第２ケースの背面とこれに対向する支持体の対向面とのいずれか一方に、ヒンジの軸方向に対して直交する第１ガイド溝が形成されているとともに、ヒンジの軸方向に第２ガイド溝が形成され、第２ケースの背面とこれに対向する支持体の対向面とのいずれか他方に、第１ガイド溝内を移動する第１移動部材が設けられているとともに、第２ガイド溝内を移動する第２移動部材が設けられ、第１、第２移動部材によって第２ケースと支持体とが相対的に９０°回転可能に連結されているものもある（例えば、特許文献１参照）。
【０００６】
【特許文献１】特開平８−３６２５９号公報
【発明の開示】
【発明が解決しようとする課題】
【０００７】
しかしながら、このような機器では、回動の構造や、画面の切り替えの円滑さ（機構または制御）が十分に考慮されていないものが多く、混在する横長の画像と縦長の画像とを閲覧する場合には、煩わしい操作が必要となる。また、画面の切り替えの動作が不安定になるものも多かった。
【０００８】
本発明は、このような状況に鑑みてなされたものであり、より確実に、画面の回動に応じて画像の向きを切り替えることができるようにするものである。
【課題を解決するための手段】
【０００９】
本発明の一側面の表示装置は、表示部とこれを支える台座とからなる表示装置であって、前記表示部を回動自在に軸支する軸支手段と、前記軸支手段を昇降自在に保持する保持手段と、前記表示部が、回動させられて、前記台座に対して斜めの状態にある場合、前記表示部を前記台座に対して上昇させるように、前記表示部の上下方向の位置を規制する規制手段と、前記表示部の回動の角度を検出する検出手段と、検出された角度に応じて、前記表示部に表示される画像の向きの切り替えを指示する指示手段と、画像の向きの切り替えの指示に応じて、前記表示部に表示される画像の向きを切り替えるように、前記表示部の表示を制御する表示制御手段とを備える。
【００１０】
本発明の一側面の表示装置においては、前記表示部が回動自在に軸支され、前記軸支手段が昇降自在に保持され、前記表示部が、回動させられて、前記台座に対して斜めの状態にある場合、前記表示部を前記台座に対して上昇させるように、前記表示部の上下方向の位置が規制され、前記表示部の回動の角度が検出され、検出された角度に応じて、前記表示部に表示される画像の向きの切り替えが指示され、画像の向きの切り替えの指示に応じて、前記表示部に表示される画像の向きを切り替えるように、前記表示部の表示が制御される。
【００１１】
前記指示手段は、第１の角度において第１の標章を前記表示部に表示させ、第２の角度において第２の標章を前記表示部に表示させるように、前記第１の標章を表示させるための光源および前記第２の標章を表示させるための光源の点滅を制御するようにすることができる。
【００１２】
前記指示手段は、起動する場合、前記第１の標章または前記第２の標章のいずれか一方を表示させてから、前記表示制御手段に前記表示部への画像の表示を指示するようにすることができる。
【００１３】
前記表示制御手段は、前記表示部に表示される画像の向きを切り替える場合、継続して実行されている時間の経過に応じた表示の処理を停止し、時間の経過に関係しない表示の処理を実行するようにすることができる。
【００１４】
前記表示制御手段は、前記表示部に表示される画像の向きを切り替える場合、継続して実行されている時間の経過に応じた表示の処理である、スライドショーの処理を停止し、時間の経過に関係しない表示の処理である、静止画像の表示の処理を実行するようにすることができる。
【００１５】
前記指示手段は、検出された角度に応じて、輝度を下げるように前記表示部を制御するようにすることができる。
【００１６】
本発明の一側面の表示制御方法は、表示部を回動自在に軸支する軸支手段と、前記軸支手段を昇降自在に保持する保持手段と、前記表示部が、回動させられて、前記表示部を支える台座に対して斜めの状態にある場合、前記表示部を前記台座に対して上昇させるように、前記表示部の上下方向の位置を規制する規制手段とを備える表示装置の表示制御方法であって、前記表示部の回動の角度を検出し、検出された角度に応じて、前記表示部に表示される画像の向きの切り替えを指示し、画像の向きの切り替えの指示に応じて、前記表示部に表示される画像の向きを切り替えるように、前記表示部における表示を制御するステップを含む。
【００１７】
本発明の一側面の表示制御方法においては、前記表示部の回動の角度が検出され、検出された角度に応じて、前記表示部に表示される画像の向きの切り替えが指示され、画像の向きの切り替えの指示に応じて、前記表示部に表示される画像の向きを切り替えるように、前記表示部における表示が制御される。
【００１８】
本発明の一側面のプログラムは、表示部を回動自在に軸支する軸支手段と、前記軸支手段を昇降自在に保持する保持手段と、前記表示部が、回動させられて、前記表示部を支える台座に対して斜めの状態にある場合、前記表示部を前記台座に対して上昇させるように、前記表示部の上下方向の位置を規制する規制手段と、前記表示部に表示される画像の向きを切り替えるように、前記表示部の表示を制御する表示制御手段とを備える表示装置のコンピュータに、前記表示部の回動の角度を検出し、検出された角度に応じて、前記表示部に表示される画像の向きの切り替えを前記表示制御手段に指示するステップを実行させる。
【００１９】
本発明の一側面のプログラムにおいては、前記表示部の回動の角度が検出され、検出された角度に応じて、前記表示部に表示される画像の向きの切り替えが前記表示制御手段に指示される。
【００２０】
本発明の一側面の記録媒体は、表示部を回動自在に軸支する軸支手段と、前記軸支手段を昇降自在に保持する保持手段と、前記表示部が、回動させられて、前記表示部を支える台座に対して斜めの状態にある場合、前記表示部を前記台座に対して上昇させるように、前記表示部の上下方向の位置を規制する規制手段と、前記表示部に表示される画像の向きを切り替えるように、前記表示部の表示を制御する表示制御手段とを備える表示装置のコンピュータに、前記表示部の回動の角度を検出し、検出された角度に応じて、前記表示部に表示される画像の向きの切り替えを前記表示制御手段に指示するステップを実行させるプログラムが記録されている。
【００２１】
本発明の一側面の記録媒体のプログラムにおいては、前記表示部の回動の角度が検出され、検出された角度に応じて、前記表示部に表示される画像の向きの切り替えが前記表示制御手段に指示される。
【発明の効果】
【００２２】
以上のように、本発明の一側面によれば、画像の向きを切り替えることができる。
【００２３】
また、本発明の一側面によれば、より確実に、画面の回動に応じて画像の向きを切り替えることができる。
【発明を実施するための最良の形態】
【００２４】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２５】
本発明の一側面の表示装置は、表示部（例えば、図１のディスプレイパネル部１１）とこれを支える台座（例えば、図１の本体部１２）とからなる表示装置であって、前記表示部を回動自在に軸支する軸支手段（例えば、図２のパネル本体接続軸３２）と、前記軸支手段を昇降自在に保持する保持手段（例えば、図２のスライダ３１）と、前記表示部が、回動させられて、前記台座に対して斜めの状態にある場合、前記表示部を前記台座に対して上昇させるように、前記表示部の上下方向の位置を規制する規制手段（例えば、図２のガイド３６およびベアリング３７）と、前記表示部の回動の角度を検出する検出手段（例えば、図９の角度センサ１０１）と、検出された角度に応じて、前記表示部に表示される画像の向きの切り替えを指示する指示手段（例えば、図９のマイクロコンピュータ１２１）と、画像の向きの切り替えの指示に応じて、前記表示部に表示される画像の向きを切り替えるように、前記表示部の表示を制御する表示制御手段（例えば、図９のマザーボード１２２）とを備える。
【００２６】
前記指示手段は、第１の角度において第１の標章を前記表示部に表示させ、第２の角度において第２の標章を前記表示部に表示させるように、前記第１の標章を表示させるための光源（例えば、図９のロゴ照明部１０２）および前記第２の標章を表示させるための光源（例えば、図９のロゴ照明部１０３）の点滅を制御するようにすることができる。
【００２７】
本発明の一側面の表示制御方法は、表示部（例えば、図１のディスプレイパネル部１１）を回動自在に軸支する軸支手段（例えば、図２のパネル本体接続軸３２）と、前記軸支手段を昇降自在に保持する保持手段（例えば、図２のスライダ３１）と、前記表示部が、回動させられて、前記表示部を支える台座（例えば、図１の本体部１２）に対して斜めの状態にある場合、前記表示部を前記台座に対して上昇させるように、前記表示部の上下方向の位置を規制する規制手段（例えば、図２のガイド３６およびベアリング３７）とを備える表示装置の表示制御方法であって、前記表示部の回動の角度を検出し（例えば、図１５のステップＳ６２）、検出された角度に応じて、前記表示部に表示される画像の向きの切り替えを指示し（例えば、図１５のステップＳ６５またはステップＳ６７）、画像の向きの切り替えの指示に応じて、前記表示部に表示される画像の向きを切り替えるように、前記表示部における表示を制御する（例えば、図１６のステップＳ８３またはステップＳ８７）ステップを含む。
【００２８】
本発明の一側面のプログラムは、表示部（例えば、図１のディスプレイパネル部１１）を回動自在に軸支する軸支手段（例えば、図２のパネル本体接続軸３２）と、前記軸支手段を昇降自在に保持する保持手段（例えば、図２のスライダ３１）と、前記表示部が、回動させられて、前記表示部を支える台座（例えば、図１の本体部１２）に対して斜めの状態にある場合、前記表示部を前記台座に対して上昇させるように、前記表示部の上下方向の位置を規制する規制手段（例えば、図２のガイド３６およびベアリング３７）と、前記表示部に表示される画像の向きを切り替えるように、前記表示部の表示を制御する表示制御手段（例えば、図９のマザーボード１２２）とを備える表示装置のコンピュータ（例えば、図９のマイクロコンピュータ１２１）に、前記表示部の回動の角度を検出し（例えば、図１５のステップＳ６２）、検出された角度に応じて、前記表示部に表示される画像の向きの切り替えを前記表示制御手段に指示する（例えば、図１６のステップＳ８３またはステップＳ８７）ステップを実行させる。
【００２９】
図１は、本発明の一実施の形態の表示装置１の外観を示す図である。表示装置１は、ディスプレイパネル部１１および本体部１２からなる。ディスプレイパネル部１１は、LCD（Liquid Crystal Display）からなり、画像を表示する。ディスプレイパネル部１１は、前面からみると正方形になるように形成されている。
【００３０】
本体部１２は、ディスプレイパネル部１１の画像の表示を制御すると共に、ディスプレイパネル部１１を支える台座として機能する。
【００３１】
本体部１２は、ディスプレイパネル部１１を、本体部１２に対して、回動できるように支える。
【００３２】
ディスプレイパネル部１１の画面１５が横長である状態において、ディスプレイパネル部１１の左右の側面および上下の側面のそれぞれは、本体部１２の左右の側面および上下の側面のそれぞれと、１つの平面を形成する。ディスプレイパネル部１１が回動させられて、ディスプレイパネル部１１の画面１５が縦長である状態においても、ディスプレイパネル部１１の左右の側面および上下の側面のそれぞれは、本体部１２の左右の側面および上下の側面のそれぞれと、１つの平面を形成する。
【００３３】
なお、画面１５の短辺を縦とし、画面１５の長辺を横とする画面を横長の画面と称し、画面１５の短辺を横とし、画面１５の長辺を縦とする画面を縦長の画面と称する。
【００３４】
ロゴ表示部１３は、ディスプレイパネル部１１の画面１５が横長である場合において、標章を表示させる。ロゴ表示部１４は、ディスプレイパネル部１１の画面１５が縦長である場合において、標章を表示させる。標章は、商標法にいう標章であり、文字、図形、記号若しくは立体的形状若しくはこれらの結合又はこれらと色彩との結合である。
【００３５】
例えば、ロゴ表示部１３およびロゴ表示部１４は、標章の形に光を透過させる部分と、光を透過させない部分とからなり、ディスプレイパネル部１１の内側に、ロゴ表示部１３およびロゴ表示部１４のそれぞれに対して設けられた光源を発光させることで、標章を表示させる。
【００３６】
以下、ディスプレイパネル部１１の画面１５が横長である場合においてロゴ表示部１３に表示される標章を横画面用ロゴとも称し、ディスプレイパネル部１１の画面１５が縦長である場合においてロゴ表示部１４に表示される標章を縦画面用ロゴとも称する。
【００３７】
画面１５は、画像が表示される領域である。画面１５の縦横比は、３対４とされる。
【００３８】
図２は、表示装置１の内部の機構を示す図である。表示装置１の内部には、スライダ３１、パネル本体接続軸３２、ガイドレール３３、バネ３４、ダンパ３５、ガイド３６、およびベアリング３７が設けられている。図３は、スライダ３１、パネル本体接続軸３２、ガイドレール３３、バネ３４、ダンパ３５、ガイド３６、およびベアリング３７の構成を拡大して示す図である。
【００３９】
スライダ３１は、パネル本体接続軸３２を昇降自在に保持する。すなわち、スライダ３１は、パネル本体接続軸３２を支え、ガイドレール３３に沿って昇降自在に設けられている。
【００４０】
パネル本体接続軸３２は、ディスプレイパネル部１１（図は滑りテープ部分）の回動の支点であり、ディスプレイパネル部１１を回動自在に軸支する。例えば、パネル本体接続軸３２のスライダ３１に支えられる部分は、円形に形成される。パネル本体接続軸３２のスライダ３１に支えられる部分が、この部分に対応し円形に形成されたスライダ３１の穴に嵌められることで、パネル本体接続軸３２は、スライダ３１に対して回動自在とされ、スライダ３１に保持される。
【００４１】
ガイドレール３３は、本体部１２に設けられ、スライダ３１の左右の両側と嵌り合って、スライダ３１の上下方向に移動する軌跡を規制する。図２および図３に示す例において、ガイドレール３３は、上下方向の直線上をスライダ３１が昇降するように、スライダ３１の移動の軌跡を規制する。
【００４２】
バネ３４は、いわゆるコイルバネである。バネ３４の一端は、スライダ３１に対して上側の本体部１２の部分に固定され、他の一端は、スライダ３１に固定されている。バネ３４は、本体部１２とスライダ３１とに引っ張り方向の付勢力を加える。すなわち、バネ３４は、スライダ３１に上向きの力を加える。
【００４３】
バネ３４によりスライダ３１に加えられる上向きの力の大きさを、ディスプレイパネル部１１の重さを相殺させるものとすれば、使用者は、ディスプレイパネル部１１を軽く、例えば、指一本で回動させることができる。
【００４４】
バネ３４は、スライダ３１に上向きの力を加えられればよく、コイルバネに限らず、トーションバネまたは渦巻きバネなどであってもよい。また、バネ３４に代えて、エアシリンダを設けるようにしてもよい。さらに、ゴムなどの弾性体によって、スライダ３１に上向きの力を加えるようにしてもよい。さらにまた、磁力の反発力または引力を用いて、スライダ３１に上向きの力を加えるようにしてもよい。
【００４５】
スライダ３１の右端は、歯を設けた平板であるラック３１Ａとされている。ラック３１Ａの歯は、ピニオンであるダンパ３５の歯車３５Ａと噛み合っている。ダンパ３５は、ダンパ３５の歯車３５Ａが図中の反時計回りに回転する場合、抵抗を与えて、ダンパ３５の歯車３５Ａが図中の時計回りに回転する場合、抵抗を与えない。すなわち、ダンパ３５は、ラック３１Ａと噛み合っている歯車３５Ａに抵抗を与えることで、スライダ３１の下がる速さを抑制する。
【００４６】
これにより、ディスプレイパネル部１１が下降する場合に、ディスプレイパネル部１１が自重で急激に下降したり回動したりすることを防止できる。その結果、使用者がディスプレイパネル部１１を回動させる場合、例えば、ディスプレイパネル部１１と本体部１２との間などに指を挟んで怪我をしてしまうことを防止でき、より安全にディスプレイパネル部１１を回動させることができる。
【００４７】
なお、ダンパ３５は、回転式に限らず、直動式であってもよい。ダンパ３５は、固体の摩擦、流体の摩擦、または磁気などを利用する、いずれの方式であってもよい。
【００４８】
ガイド３６は、ガイドレール３３と一体に本体部１２に設けられている。ガイド３６は、ディスプレイパネル部１１が、回動させられて、本体部１２に対して斜めの状態にある場合、ディスプレイパネル部１１を本体部１２に対して上昇させるように、ディスプレイパネル部１１の上下方向の位置を規制する。より詳細に説明すれば、ガイド３６は、中央部を高く、その両側を低くなるように形成されている。ガイド３６は、本体部１２に固定して設けられているベアリング３７を上側と下側とから挟む形状とされている。
【００４９】
ディスプレイパネル部１１が回動させられた場合、ベアリング３７は、ガイド３６の内側を摺動する。ベアリング３７が、ガイド３６の内側を摺動して、移動すると、ベアリング３７の上下方向の位置は、ガイド３６によって規制されることになる。すなわち、ガイド３６の中央において、ベアリング３７の上下方向の位置は、高くなり、ガイド３６の両端において、ベアリング３７の上下方向の位置は、低くなる。
【００５０】
ベアリング３７は、ディスプレイパネル部１１に固定されているので、ガイド３６に沿ってベアリング３７が移動すると、ディスプレイパネル部１１の高さが変化することになる。
【００５１】
このように、ディスプレイパネル部１１は、パネル本体接続軸３２よって回動自在に軸持される。スライダ３１は、パネル本体接続軸３２を昇降自在に保持する。スライダ３１の位置は、上下方向の直線上を移動するように、ガイドレール３３によって規制される。さらに、ディスプレイパネル部１１の上下方向の位置が、ガイド３６によって規制される。
【００５２】
図４の左側で示されるように、ディスプレイパネル部１１の画面１５が横長である状態において、ディスプレイパネル部１１は、本体部１２と同じ高さに位置する。この場合、ディスプレイパネル部１１の左右の側面および上下の側面のそれぞれは、本体部１２の左右の側面および上下の側面のそれぞれと、１つの平面を形成する。
【００５３】
ディスプレイパネル部１１が使用者によって時計回りに回動させられると、ガイド３６によってベアリング３７が持ち上げられるので、ディスプレイパネル部１１は、本体部１２に対して上昇することになる。
【００５４】
画面１５が横長である状態からディスプレイパネル部１１が４５度まで時計回りに回動させられると、図４の中央で示されるように、ディスプレイパネル部１１は、本体部１２に対して最も高い位置まで上昇する。
【００５５】
これにより、表示装置１を設置している面に、ディスプレイパネル部１１が衝突することを防止することができる。
【００５６】
なお、表示装置１を設置している面と、ディスプレイパネル部１１の画面１５の長手方向に平行の軸とがなす角度をディスプレイパネル部１１の角度と称する。例えば、画面１５が横長である状態の、ディスプレイパネル部１１の角度を０度と称し、画面１５が縦長である状態の、ディスプレイパネル部１１の角度を９０度と称する。
【００５７】
４５度を超えて、さらに、ディスプレイパネル部１１が時計回りに回動させられると、ガイド３６によってベアリング３７が押し下げられるので、ディスプレイパネル部１１は、本体部１２に対して下降することになる。
【００５８】
画面１５が横長である状態からディスプレイパネル部１１が９０度まで回動させられ、画面１５が縦長である状態になると、ディスプレイパネル部１１の高さは、画面１５が横長である状態における高さと同じとなる。
【００５９】
その結果、画面１５が縦長である状態において、ディスプレイパネル部１１の左右の側面および上下の側面のそれぞれは、本体部１２の左右の側面および上下の側面のそれぞれと、１つの平面を形成する。
【００６０】
画面１５が縦長である状態からディスプレイパネル部１１が４５度まで反時計回りに回動させられた場合も、図４の中央で示されるように、ディスプレイパネル部１１は、本体部１２に対して最も高い位置まで上昇する。
【００６１】
さらに、ディスプレイパネル部１１が反時計回りに回動させられると、ガイド３６によってベアリング３７が押し下げられるので、ディスプレイパネル部１１は、本体部１２に対して下降することになる。
【００６２】
画面１５が縦長である状態からディスプレイパネル部１１を反時計回りに回動させた場合も、表示装置１を設置している面に、ディスプレイパネル部１１が衝突することを防止することができる。
【００６３】
図５は、回動させられたディスプレイパネル部１１の位置を示す図である。図５で示されるように、ディスプレイパネル部１１が回動させられた場合、ディスプレイパネル部１１の最も低い部分は、一定の高さとなる。例えば、ディスプレイパネル部１１が回動させられた場合、ディスプレイパネル部１１の最も低い部分の位置は、画面１５が縦長である状態または横長である状態において、ディスプレイパネル部１１の下の側面と１つの面を形成する、本体部１２の下の側面の位置と一致する。
【００６４】
これにより、ディスプレイパネル部１１を回動させる場合に、より美しく回転している印象を使用者に与えることができる。また、ディスプレイパネル部１１と、表示装置１を設置している面との間に手を挟んだりすることがなく、より安全にディスプレイパネル部１１を回動させることができる。
【００６５】
図５で示されるように、本体部１２に対するディスプレイパネル部１１の角度が０度乃至９０度のいずれの角度であっても、ディスプレイパネル部１１は、ガイド３６を隠す。
【００６６】
すなわち、ガイド３６は、ディスプレイパネル部１１が回動させられた場合、ガイド３６がディスプレイパネル部１１によって隠されるように、ディスプレイパネル部１１の上下方向の位置を規制する。
【００６７】
これにより、ディスプレイパネル部１１を回動させる場合に、表示装置１の美観を損ねることがない。
【００６８】
ディスプレイパネル部１１の回動させ始めにおいては、ディスプレイパネル部１１を回動させると、ディスプレイパネル部１１が持ち上がるので、スライダ３１、パネル本体接続軸３２、ガイドレール３３、ガイド３６、およびベアリング３７だけを設けた場合には、ディスプレイパネル部１１の重さを支える力を使用者が加えなければ、ディスプレイパネル部１１を回動させることができない。
【００６９】
ディスプレイパネル部１１をより少ない力で円滑に回動できるように、表示装置１には、バネ３４およびダンパ３５が設けられている。
【００７０】
バネ３４は、スライダ３１に上向きの力を加えるので、ディスプレイパネル部１１が上昇する、回動のさせ始めにおいて、より軽くディスプレイパネル部１１を回動させることができる。例えば、画面１５が横長である状態から画面１５が縦長である状態までディスプレイパネル部１１を回動させる場合、ディスプレイパネル部１１の角度が０度から４５度である間は、ディスプレイパネル部１１が上昇する。この場合、ディスプレイパネル部１１は、使用者による力に加えて、バネ３４により加えられる上向きの力で上昇することになる。
【００７１】
使用者は、バネ３４により加えられる上向きの力の分だけ、より少ない力でディスプレイパネル部１１を回動できる。
【００７２】
一方、ディスプレイパネル部１１の回動させ終わりにおいては、ディスプレイパネル部１１が下がろうとするので、スライダ３１、パネル本体接続軸３２、ガイドレール３３、ガイド３６、およびベアリング３７だけを設けた場合には、ディスプレイパネル部１１の重さを支える力を使用者が加えなければ、ディスプレイパネル部１１をゆっくりと回動させることができない。
【００７３】
そこで、ダンパ３５を設けて、ダンパ３５に、スライダ３１の下がる速さを抑制させる。ダンパ３５は、スライダ３１の下がる速さを抑制するので、ディスプレイパネル部１１が下降する、回動のさせ終わりにおいて、ディスプレイパネル部１１の重さの全てを使用者が支えなくとも、より軽くディスプレイパネル部１１をゆっくりと回動させることができる。例えば、画面１５が横長である状態から画面１５が縦長である状態までディスプレイパネル部１１を回動させる場合、ディスプレイパネル部１１の角度が４５度から９０度である間は、ディスプレイパネル部１１が下降する。この場合、ディスプレイパネル部１１の下降の速さは、使用者による力およびディスプレイパネル部１１の自重に加えて、ダンパ３５により抑制されることになる。
【００７４】
使用者は、ダンパ３５により抑制される分だけ、より少ない力若しくはディスプレイパネル部１１の自重のみでディスプレイパネル部１１をゆっくりと回動させることができる。
【００７５】
図６は、ダンパ３５による、スライダ３１の下がる速さを抑制する特性、すなわち減衰特性を一定とした場合における、バネ３４により加えられる上向きの力の大きさと、ディスプレイパネル部１１の回動のさせ始めに必要な力との関係、およびバネ３４により加えられる上向きの力の大きさと、ディスプレイパネル部１１が下がりきるまでに必要な時間との関係を示す。
【００７６】
図中の下側の軸は、バネ３４により加えられる上向きの力の大きさ（図中のアシスト・バネ力）［Ｎ］を示す。図中の右側の軸は、ディスプレイパネル部１１の回動のさせ始めに必要な力［Ｎ］を示す。図中の左側の軸は、ディスプレイパネル部１１が下がりきるまでに必要な時間（落下時間）［秒］を示す。
【００７７】
図中の三角で示される点は、バネ３４により加えられる上向きの力の大きさ［Ｎ］に対する、ディスプレイパネル部１１の回動のさせ始めに必要な力［Ｎ］を示す。図中の四角で示される点は、バネ３４により加えられる上向きの力の大きさ［Ｎ］に対する、ディスプレイパネル部１１が下がりきるまでに必要な時間［秒］を示す。
【００７８】
バネ３４により、約１１Ｎの上向きの力が加えられた場合、ディスプレイパネル部１１の回動のさせ始めに必要な力は、約１６Ｎである。バネ３４により、約１３Ｎの上向きの力が加えられた場合、ディスプレイパネル部１１の回動のさせ始めに必要な力は、約１５．５Ｎである。同様に、バネ３４により、約１５Ｎまたは約１８Ｎの上向きの力が加えられた場合、ディスプレイパネル部１１の回動のさせ始めに必要な力は、それぞれ、約１４．５Ｎまたは約１３Ｎである。
【００７９】
使用者は、ディスプレイパネル部１１の回動のさせ始めに必要な力が小さい場合には、ディスプレイパネル部１１を軽く感じ、ディスプレイパネル部１１の回動のさせ始めに必要な力が大きい場合には、ディスプレイパネル部１１を重く感じる。
【００８０】
バネ３４により、約１１Ｎの上向きの力が加えられた場合、ディスプレイパネル部１１が下がりきるまでに必要な時間は、約２．５秒である。バネ３４により、約１３Ｎの上向きの力が加えられた場合、ディスプレイパネル部１１が下がりきるまでに必要な時間は、約３秒である。同様に、バネ３４により、約１５Ｎまたは約１８Ｎの上向きの力が加えられた場合、ディスプレイパネル部１１が下がりきるまでに必要な時間は、それぞれ、約３．５秒または約５秒である。
【００８１】
使用者は、ディスプレイパネル部１１が下がりきるまでに必要な時間が短い場合には、ディスプレイパネル部１１の下がる速度を速く感じ、ディスプレイパネル部１１が下がりきるまでに必要な時間が長い場合には、ディスプレイパネル部１１の下がる速度を遅く感じる。
【００８２】
スライダ３１の減衰特性と、バネ３４により加えられる上向きの力の大きさとを調整することで、より適切な重さで、より適切な速度でディスプレイパネル部１１を回動させることができるようになる。
【００８３】
例えば、最適な動作点として、図６において、バネ３４により加えられる上向きの力の大きさ［Ｎ］に対する、ディスプレイパネル部１１の回動のさせ始めに必要な力［Ｎ］を示す三角で示される点を結んだ線と、バネ３４により加えられる上向きの力の大きさ［Ｎ］に対する、ディスプレイパネル部１１が下がりきるまでに必要な時間［秒］を示す四角で示される点を結んだ線とが交わる点を選択することができる。例えば、この場合、ディスプレイパネル部１１の回動のさせ始めに必要な力は、約１４．５Ｎとなり、ディスプレイパネル部１１が下がりきるまでに必要な時間は、約３．５秒となる。
【００８４】
ディスプレイパネル部１１を回動させるときに、使用者がより良い感触を感じるように、スライダ３１の減衰特性と、バネ３４により加えられる上向きの力の大きさとを調整することができる。
【００８５】
ディスプレイパネル部１１が重い場合、バネ３４およびダンパ３５を設ける効果がより大きくなる。例えば、画面１５がより大きい場合、または、ディスプレイパネル部１１を形成する素材の密度がより大きい場合、より効果的である。
【００８６】
さらに、ディスプレイパネル部１１をより滑らかに回動させるようにすることができる。
【００８７】
図７は、ディスプレイパネル部１１に設けられた滑りテープを示す図である。図８は、本体部１２に設けられた支持部を示す図である。
【００８８】
滑りテープ５１−１乃至滑りテープ５１−４は、ポリエチレン、フッ素樹脂、またはナイロンなどの摩擦係数の小さい、かつ、摩耗しにくい素材からなる。滑りテープ５１−１乃至５１−４は、ディスプレイパネル部１１の面であって、本体部１２と対向する面に貼られている。
【００８９】
支持部６１−１乃至支持部６１−４は、ポリアセタール（POM:ポリオキシメチレン）樹脂などの加工性に優れ、摩擦係数の小さい、かつ、摩耗しにくい素材からなる。支持部６１−１乃至支持部６１−４は、本体部１２の面であって、ディスプレイパネル部１１と対向する面に設けられている。例えば、支持部６１−１乃至支持部６１−４は、ガイドレール３３およびガイド３６と一体に形成される。
【００９０】
支持部６１−１と滑りテープ５１−１とは、ディスプレイパネル部１１が回動させられた場合、ディスプレイパネル部１１の回動の方向に対して垂直方向に突き当たった状態で、支持部６１−１が滑りテープ５１−１の上を摺動するように、対応する位置に設けられる。同様に、支持部６１−２乃至支持部６１−４のそれぞれと滑りテープ５１−２乃至滑りテープ５１−４のそれぞれとは、ディスプレイパネル部１１が回動させられた場合、ディスプレイパネル部１１の回動の方向に対して垂直方向に突き当たった状態で、支持部６１−２乃至支持部６１−４のそれぞれが滑りテープ５１−２乃至滑りテープ５１−４のそれぞれの上を摺動するように、対応する位置に設けられる。
【００９１】
滑りテープ５１−１乃至滑りテープ５１−４のそれぞれと支持部６１−１乃至支持部６１−４のそれぞれとが突き当たるので、ディスプレイパネル部１１が回動させられた場合、本体部１２に対する、ディスプレイパネル部１１の回動の方向に対して垂直方向の振れ（ガタ）を抑制することができる。
【００９２】
これにより、回動した場合のディスプレイパネル部１１のガタツキを防止し、ディスプレイパネル部１１をより滑らかに回動させることができる。
【００９３】
また、ガイド３６は、ディスプレイパネル部１１が回動させられた場合、支持部６１−２乃至支持部６１−４がディスプレイパネル部１１によって隠されるように、ディスプレイパネル部１１の上下方向の位置を規制する。
【００９４】
図９は、表示装置１の機能の構成を示すブロック図である。ディスプレイパネル部１１には、角度センサ１０１、ロゴ照明部１０２、ロゴ照明部１０３、およびバックライト１０４が設けられている。本体部１２には、マイクロコンピュータ１２１およびマザーボード１２２が設けられている。
【００９５】
角度センサ１０１は、ディスプレイパネル部１１の角度を検出するセンサである。例えば、角度センサ１０１は、重力が加わる方向を基準とした、ディスプレイパネル部１１の角度を検出するセンサである。
【００９６】
なお、角度センサ１０１は、ロータリエンコーダ、ポテンショメータ、またはヒータとサーモスタットとを組み合わせた物などとして、本体部１２に対するディスプレイパネル部１１の角度を検出するようにしてもよい。また、角度センサ１０１は、ガイド３６におけるベアリング３７の位置を検出することで、本体部１２に対するディスプレイパネル部１１の角度を検出するようにしてもよい。
【００９７】
角度センサ１０１は、検出したディスプレイパネル部１１の角度を示す信号をマイクロコンピュータ１２１に供給する。
【００９８】
ロゴ照明部１０２およびロゴ照明部１０３は、例えば、LED（Light Emitting Diode）またはEL（Electro Luminescence）などの固体発光素子、またはネオン管などのガス放電管などからなる。ロゴ照明部１０２は、ロゴ表示部１３を、ディスプレイパネル部１１の内側から照明する。例えば、ロゴ照明部１０２は、発光した光をロゴ表示部１３に照射し、ロゴ表示部１３に光を標章の形に透過させることで、ロゴ表示部１３に標章を表示させる。
【００９９】
ロゴ照明部１０３は、ロゴ表示部１４を、ディスプレイパネル部１１の内側から照明する。例えば、ロゴ照明部１０３は、発光した光をロゴ表示部１４に照射し、ロゴ表示部１４に光を標章の形に透過させることで、ロゴ表示部１４に標章を表示させる。
【０１００】
バックライト１０４は、冷陰極管またはLED（Light Emitting Diode）などからなり、LCDに背後から光を照射することで、LCDに画像を表示させる。
【０１０１】
マイクロコンピュータ１２１は、ROM（Read Only Memory）、RAM（Random Access Memory）、またはI/O（Input/Output）ポートなどを内蔵する、いわゆる組込型のマイクロコンピュータである。マイクロコンピュータ１２１は、角度センサ１０１から供給された、ディスプレイパネル部１１の角度を示す信号を基に、ロゴ照明部１０２、ロゴ照明部１０３、およびバックライト１０４の点灯および消灯を制御する。例えば、マイクロコンピュータ１２１は、PWM（pulse width modulation）方式またはPAM（pulse amplitude modulation）方式により出力する電圧または電流を制御することにより、ロゴ照明部１０２、ロゴ照明部１０３、およびバックライト１０４の点灯および消灯を制御する。
【０１０２】
また、マイクロコンピュータ１２１は、ディスプレイパネル部１１の角度に応じて、ディスプレイパネル部１１に表示される画像の向きの切り替えをマザーボード１２２に指示する。マイクロコンピュータ１２１とマザーボード１２２とは、例えば、シリアル通信により信号を相互に伝送する。
【０１０３】
マザーボード１２２は、表示装置１の全体を制御し、ディスプレイパネル部１１に所定の画像を表示させる。
【０１０４】
図１０は、マザーボード１２２の構成の例を示すブロック図である。CPU（Central Processing Unit）１５１は、ROM１５２、または記憶部１５８に記憶されているプログラムに従って各種の処理を実行する。RAM１５３には、CPU１５１が実行するプログラムやデータなどが適宜記憶される。これらのCPU１５１、ROM１５２、およびRAM１５３は、バス１５４により相互に接続されている。
【０１０５】
CPU１５１にはまた、バス１５４を介して入出力インタフェース１５５が接続されている。入出力インタフェース１５５には、図示せぬリモートコントローラから送信されてくるコマンドである赤外線を受光する受光部などよりなる入力部１５６、スピーカなどよりなる出力部１５７、マイクロコンピュータ１２１、およびディスプレイパネル部１１が接続されている。CPU１５１は、入力部１５６またはマイクロコンピュータ１２１から入力される指示（指令）に対応して各種の処理を実行する。そして、CPU１５１は、処理の結果を出力部１５７またはディスプレイパネル部１１に出力する。
【０１０６】
入出力インタフェース１５５に接続されている記憶部１５８は、例えばハードディスクからなり、CPU１５１が実行するプログラムや各種のデータを記憶する。通信部１５９は、インターネットやローカルエリアネットワークなどのネットワークを介して外部の装置と通信する。
【０１０７】
また、通信部１５９を介してプログラムを取得し、記憶部１５８に記憶してもよい。
【０１０８】
入出力インタフェース１５５に接続されているドライブ１６０は、磁気ディスク、光ディスク、光磁気ディスク、或いは半導体メモリなどのリムーバブルメディア１６１が装着されたとき、それらを駆動し、そこに記録されているプログラムやデータなどを取得する。取得されたプログラムやデータは、必要に応じて記憶部１５８に転送され、記憶される。さらに、取得されたプログラムやデータは、必要に応じてマイクロコンピュータ１２１に転送され、記憶される。
【０１０９】
図１１は、プログラムを実行するマイクロコンピュータ１２１により実現される機能の構成を示すブロック図である。プログラムを実行するマイクロコンピュータ１２１により、角度検出部１８１、判定部１８２、バックライト点灯制御部１８３、ロゴ照明点灯制御部１８４、および表示指示部１８５が実現される。
【０１１０】
角度検出部１８１は、角度センサ１０１から供給される、ディスプレイパネル部１１の角度を示す信号を取得することで、ディスプレイパネル部１１の角度を検出する。
【０１１１】
判定部１８２は、検出されたディスプレイパネル部１１の角度を基に、ロゴ照明部１０２、ロゴ照明部１０３、またはバックライト１０４の点灯および消灯の条件を判定すると共に、画面の表示の方向の切り替えの条件を判定する。
【０１１２】
バックライト点灯制御部１８３は、判定部１８２における判定の結果に応じて、バックライト１０４の点灯および消灯を制御する。
【０１１３】
ロゴ照明点灯制御部１８４は、判定部１８２における判定の結果に応じて、ロゴ照明部１０２およびロゴ照明部１０３の点灯および消灯を制御する。
【０１１４】
表示指示部１８５は、検出された角度に応じて、ディスプレイパネル部１１に表示される画像の向きの切り替えを指示する。すなわち、表示指示部１８５は、判定部１８２における判定の結果に応じて、マザーボード１２２に、短辺を縦とし、長辺を横として画面１５への画像の表示を指示するか、または短辺を横とし、長辺を縦として画面１５への画像の表示を指示する。
【０１１５】
図１２は、マザーボード１２２のCPU１５１により実行されるプログラムの構成を示すブロック図である。CPU１５１は、オペレーティングシステム２０１およびアプリケーションプログラム２０２を実行する。オペレーティングシステム２０１は、マザーボード１２２の各種資源を管理し、アプリケーションプログラム２０２がマザーボード１２２の資源（ハードウエアまたはソフトウエアのリソース）を利用できるようにする基本プログラムである。オペレーティングシステム２０１には、アプリケーションプログラム実行制御部２２１および画面方向切り替え部２２２が含まれる。
【０１１６】
アプリケーションプログラム実行制御部２２１は、アプリケーションプログラム２０２の実行を制御する。例えば、アプリケーションプログラム実行制御部２２１は、アプリケーションプログラム２０２に、実行中のスライドショーの処理を停止させるか、またはアプリケーションプログラム２０２に、静止画像を画面１５の全体に表示させる処理を実行させる。
【０１１７】
画面方向切り替え部２２２は、画像の向きの切り替えの指示に応じて、ディスプレイパネル部１１に表示される画像の向きを切り替えるように、ディスプレイパネル部１１の表示を制御する。すなわち、画面方向切り替え部２２２は、マイクロコンピュータ１２１からの指示を基に、ディスプレイパネル部１１の画面１５の表示方向を、縦または横に切り替える。言い換えれば、画面方向切り替え部２２２は、ディスプレイパネル部１１の画面１５を横長として、ディスプレイパネル部１１に画像を表示させるか、またはディスプレイパネル部１１の画面１５を縦長として、ディスプレイパネル部１１に画像を表示させるかを切り替えるように、ディスプレイパネル部１１の表示を制御する。
【０１１８】
アプリケーションプログラム２０２は、画像をディスプレイパネル部１１に表示させる。例えば、アプリケーションプログラム２０２は、複数の静止画像を、ディスプレイパネル部１１にスライドショーとして順に表示させるか、１つの静止画像をディスプレイパネル部１１の画面１５の全体に表示させる。
【０１１９】
図１３は、起動の処理を説明するフローチャートである。ステップＳ１１において、角度検出部１８１は、角度センサ１０１から供給される、ディスプレイパネル部１１の角度を示す信号を取得して、ディスプレイパネル部１１の角度を検出する。
【０１２０】
ステップＳ１２において、判定部１８２は、ディスプレイパネル部１１の角度が２０度未満であるか否かを判定する。ステップＳ１２において、ディスプレイパネル部１１の角度が２０度未満であると判定された場合、ディスプレイパネル部１１は、画面１５が横長の状態にあるので、ステップＳ１３に進み、ロゴ照明点灯制御部１８４は、徐々に明るくするように、横画面用ロゴを照明するロゴ照明部１０２を点灯させる。すなわち、ステップＳ１３において、ロゴ照明点灯制御部１８４は、標章を表示させるロゴ表示部１３を内部から照明するロゴ照明部１０２を徐々に明るくするように点灯させる。
【０１２１】
ステップＳ１４において、バックライト点灯制御部１８３は、バックライト１０４を点灯させる。
【０１２２】
ステップＳ１５において、表示指示部１８５は、マザーボード１２２に、横長の画面１５での画像の表示を指示する。横長の画面１５での画像の表示が指示されたオペレーティングシステム２０１は、ディスプレイパネル部１１に、横長の画面１５で画像を表示させて、処理は終了する。
【０１２３】
このように、画面１５が横長である状態で、表示装置１が起動されると、画面１５に画像が表示される前に、ロゴ表示部１３に標章が表示される。
【０１２４】
一方、ステップＳ１２において、ディスプレイパネル部１１の角度が２０度以上であると判定された場合、ステップＳ１６に進み、判定部１８２は、ディスプレイパネル部１１の角度が７０度以上であるか否かを判定する。ステップＳ１６において、ディスプレイパネル部１１の角度が７０度以上であると判定された場合、ディスプレイパネル部１１は、画面１５が縦長の状態にあるので、ステップＳ１７に進み、ロゴ照明点灯制御部１８４は、徐々に明るくするように、縦画面用ロゴを照明するロゴ照明部１０３を点灯させる。すなわち、ステップＳ１７において、ロゴ照明点灯制御部１８４は、標章を表示させるロゴ表示部１４を内部から照明するロゴ照明部１０３を徐々に明るくするように点灯させる。
【０１２５】
ステップＳ１８において、バックライト点灯制御部１８３は、バックライト１０４を点灯させる。
【０１２６】
ステップＳ１９において、表示指示部１８５は、マザーボード１２２に、縦長の画面１５での画像の表示を指示する。縦長の画面１５での画像の表示が指示されたオペレーティングシステム２０１は、ディスプレイパネル部１１に、縦長の画面１５で画像を表示させて、処理は終了する。
【０１２７】
このように、画面１５が縦長である状態で、表示装置１が起動されると、画面１５に画像が表示される前に、ロゴ表示部１４に標章が表示される。
【０１２８】
ステップＳ１６において、ディスプレイパネル部１１の角度が７０度未満であると判定された場合、ディスプレイパネル部１１の角度が２０度以上７０度未満であるので、ロゴ照明部１０２、ロゴ照明部１０３、バックライト１０４を点灯させないで、処理は終了する。この場合、使用者によって、角度が２０度未満か、７０度以上になるまでディスプレイパネル部１１が回動された場合に、以下で説明する照明の切り替えの処理および画面の切り替えの指示の処理によって、ロゴ照明部１０２、ロゴ照明部１０３、またはバックライト１０４が点灯させられる。
【０１２９】
このように、画面１５に画像が表示される前に、ロゴ表示部１３またはロゴ表示部１４に標章が表示されるので、使用者は、画面１５が横長の状態であるか、縦長の状態であるかを、画面１５に画像が表示される前に知ることができる。例えば、画像を表示していない画面１５の色と、ディスプレイパネル部１１の色とが同様の色である場合、一見しただけでは、画面１５が横長の状態であるか、縦長の状態であるかを知ることができない。このような場合に、画面１５に画像が表示される前に、画面１５が横長の状態であるか、縦長の状態であるかを知ることで、使用者が表示される画像に違和感を感じることがより少なくなる。
【０１３０】
図１４は、照明の切り替えの処理を説明するフローチャートである。ステップＳ３１において、角度検出部１８１は、角度センサ１０１から供給される、ディスプレイパネル部１１の角度を示す信号を取得して、ディスプレイパネル部１１の角度を検出する。
【０１３１】
ステップＳ３２において、判定部１８２は、ディスプレイパネル部１１の角度が２０度未満であるか否かを判定する。ステップＳ３２において、ディスプレイパネル部１１の角度が２０度未満であると判定された場合、ステップＳ３３に進み、判定部１８２は、バックライト点灯制御部１８３からの信号を基に、バックライト１０４を消灯しているか否かを判定する。
【０１３２】
ステップＳ３３において、バックライト１０４を消灯していると判定された場合、ステップＳ３４に進み、ロゴ照明点灯制御部１８４は、徐々に明るくするように、横画面用ロゴを照明するロゴ照明部１０２を点灯させる。すなわち、ステップＳ３４において、ロゴ照明点灯制御部１８４は、標章を表示させるロゴ表示部１３を内部から照明するロゴ照明部１０２を徐々に明るくするように点灯させる。これにより、ロゴ表示部１３には、徐々に標章が表示されることになる。
【０１３３】
ステップＳ３５において、判定部１８２は、ロゴ照明点灯制御部１８４からの信号を基に、横画面用ロゴを照明するロゴ照明部１０２の点灯が完了したか否かを判定し、点灯が完了していないと判定された場合、ステップＳ３５に戻り、判定の処理を繰り返す。
【０１３４】
ステップＳ３５において、横画面用ロゴを照明するロゴ照明部１０２の点灯が完了したと判定された場合、ステップＳ３６に進み、バックライト点灯制御部１８３は、徐々に明るくするように、バックライト１０４を点灯させ、ステップＳ３１に戻り、上述した処理を繰り返す。
【０１３５】
ステップＳ３３において、バックライト１０４を点灯していると判定された場合、ステップＳ３４乃至ステップＳ３６の処理を実行する必要がないので、ステップＳ３４乃至ステップＳ３６の処理はスキップされて、手続きは、ステップＳ３１に戻り、上述した処理を繰り返す。
【０１３６】
ステップＳ３２において、ディスプレイパネル部１１の角度が２０度以上であると判定された場合、ステップＳ３７に進み、判定部１８２は、ディスプレイパネル部１１の角度が７０度未満であるか否かを判定する。ステップＳ３７において、ディスプレイパネル部１１の角度が７０度未満であると判定された場合、ステップＳ３８に進み、判定部１８２は、バックライト点灯制御部１８３からの信号を基に、バックライト１０４を点灯しているか否かを判定する。
【０１３７】
ステップＳ３８において、バックライト１０４を点灯していると判定された場合、ステップＳ３９に進み、バックライト点灯制御部１８３は、徐々に暗くするように、バックライト１０４を消灯させる。ステップＳ４０において、判定部１８２は、バックライト点灯制御部１８３からの信号を基に、バックライト１０４の消灯が完了したか否かを判定し、消灯が完了していないと判定された場合、ステップＳ４０に戻り、判定の処理を繰り返す。
【０１３８】
ステップＳ４０において、バックライト１０４の消灯が完了したと判定された場合、ステップＳ４１に進み、判定部１８２は、ロゴ照明点灯制御部１８４からの信号を基に、横画面用ロゴを照明するロゴ照明部１０２を点灯しているか否かを判定する。
【０１３９】
ステップＳ４１において、横画面用ロゴを照明するロゴ照明部１０２を点灯していると判定された場合、ステップＳ４２に進み、ロゴ照明点灯制御部１８４は、徐々に暗くするように、横画面用ロゴを照明するロゴ照明部１０２を消灯させ、ステップＳ４３に進む。すなわち、ステップＳ４２において、ロゴ照明点灯制御部１８４は、標章を表示させるロゴ表示部１３を内部から照明するロゴ照明部１０２を徐々に暗くするように消灯させる。これにより、ロゴ表示部１３から、徐々に標章が消えることになる。
【０１４０】
ステップＳ４１において、横画面用ロゴを照明するロゴ照明部１０２を点灯していないと判定された場合、ロゴ照明部１０２を消灯させる必要がないので、ステップＳ４２はスキップされ、手続きは、ステップＳ４３に進む。
【０１４１】
ステップＳ４３において、判定部１８２は、ロゴ照明点灯制御部１８４からの信号を基に、縦画面用ロゴを照明するロゴ照明部１０３を点灯しているか否かを判定する。
【０１４２】
ステップＳ４３において、縦画面用ロゴを照明するロゴ照明部１０３を点灯していると判定された場合、ステップＳ４４に進み、ロゴ照明点灯制御部１８４は、徐々に暗くするように、縦画面用ロゴを照明するロゴ照明部１０３を消灯させ、ステップＳ３１に戻る。すなわち、ステップＳ４４において、ロゴ照明点灯制御部１８４は、標章を表示させるロゴ表示部１４を内部から照明するロゴ照明部１０３を徐々に暗くするように消灯させる。これにより、ロゴ表示部１４から、徐々に標章が消えることになる。
【０１４３】
ステップＳ４３において、縦画面用ロゴを照明するロゴ照明部１０３を点灯していないと判定された場合、ロゴ照明部１０３を消灯させる必要がないので、ステップＳ４４はスキップされ、手続きは、ステップＳ３１に戻る。
【０１４４】
ステップＳ３８において、バックライト１０４を消灯していると判定された場合、ステップＳ３９乃至ステップＳ４４の処理を実行する必要がないので、ステップＳ３９乃至ステップＳ４４はスキップされて、手続きは、ステップＳ３１に戻る。
【０１４５】
ステップＳ３７において、ディスプレイパネル部１１の角度が７０度以上であると判定された場合、ステップＳ４５に進み、判定部１８２は、バックライト点灯制御部１８３からの信号を基に、バックライト１０４を消灯しているか否かを判定する。
【０１４６】
ステップＳ４５において、バックライト１０４を消灯していると判定された場合、ステップＳ４６に進み、ロゴ照明点灯制御部１８４は、徐々に明るくするように、縦画面用ロゴを照明するロゴ照明部１０３を点灯させる。すなわち、ステップＳ４６において、ロゴ照明点灯制御部１８４は、標章を表示させるロゴ表示部１４を内部から照明するロゴ照明部１０３を徐々に明るくするように点灯させる。これにより、ロゴ表示部１４には、徐々に標章が表示されることになる。
【０１４７】
ステップＳ４７において、判定部１８２は、ロゴ照明点灯制御部１８４からの信号を基に、縦画面用ロゴを照明するロゴ照明部１０３の点灯が完了したか否かを判定し、点灯が完了していないと判定された場合、ステップＳ４７の判定の処理を繰り返す。
【０１４８】
ステップＳ４７において、縦画面用ロゴを照明するロゴ照明部１０３の点灯が完了したと判定された場合、ステップＳ４８に進み、判定部１８２は、マザーボード１２２（画面方向切り替え部２２２）からの信号を基に、画像方向切り替えが処理終了したか否かを判定する。
【０１４９】
ステップＳ４８において、画像方向切り替えが処理終了していないと判定された場合、ステップＳ４８に戻り、画像方向切り替えが処理終了するまで、ステップＳ４８の判定の処理が繰り返される。
【０１５０】
ステップＳ４８において、画像方向切り替えが処理終了したと判定された場合、ステップＳ４９に進み、バックライト点灯制御部１８３は、徐々に明るくするように、バックライト１０４を点灯させ、ステップＳ３１に戻り、上述した処理を繰り返す。
【０１５１】
ステップＳ４５において、バックライト１０４を点灯していると判定された場合、ステップＳ４６乃至ステップＳ４９の処理を実行する必要はないので、ステップＳ４６乃至ステップＳ４９の処理はスキップされて、手続きは、ステップＳ３１に戻り、上述した処理を繰り返す。
【０１５２】
このように、画面１５が横長である状態において、バックライト１０４が点灯され、ロゴ照明部１０２が点灯され、ロゴ表示部１３に標章が表示させられる。また、画面１５が縦長である状態において、バックライト１０４が点灯され、ロゴ照明部１０３が点灯され、ロゴ表示部１４に標章が表示させられる。
【０１５３】
画面１５が横長である状態からディスプレイパネル部１１が回動させられて、ディスプレイパネル部１１の角度が２０度以上になると、バックライト１０４が徐々に暗くなるように消灯されてから、ロゴ照明部１０２が徐々に暗くなるように消灯され、ロゴ表示部１３の標章が消える。さらに、ディスプレイパネル部１１を回動させて、ディスプレイパネル部１１の角度が７０度以上になると、ロゴ照明部１０３が徐々に明るくなるように点灯され、ロゴ表示部１４に標章が表示させられてから、バックライト１０４が徐々に明るくなるように点灯される。
【０１５４】
画面１５が縦長である状態からディスプレイパネル部１１が回動させられて、ディスプレイパネル部１１の角度が７０度未満になると、バックライト１０４が徐々に暗くなるように消灯されてから、ロゴ照明部１０３が徐々に暗くなるように消灯され、ロゴ表示部１４の標章が消える。さらに、ディスプレイパネル部１１を回動させて、ディスプレイパネル部１１の角度が２０度未満になると、ロゴ照明部１０２が徐々に明るくなるように点灯され、ロゴ表示部１３に標章が表示させられてから、バックライト１０４が徐々に明るくなるように点灯される。
【０１５５】
このように、バックライト１０４、ロゴ照明部１０２、ロゴ照明部１０３が、ゆっくりと明るくなるように点灯したり、ゆっくりと暗くなるように消灯するので、使用者は、表示装置１の状態の変化を確実に知ることができるようになる。また、瞬間的に切り替わる場合に比較して、より高機能な印象を使用者に与えることができる。
【０１５６】
図１５は、画面の切り替えの指示の処理を説明するフローチャートである。ステップＳ６１において、表示指示部１８５は、オペレーティングシステム２０１から、画面１５の表示の方向を取得する。すなわち、ステップＳ６１において、表示指示部１８５は、オペレーティングシステム２０１に、ディスプレイパネル部１１の画面１５を横長として、ディスプレイパネル部１１に画像を表示させているか、またはディスプレイパネル部１１の画面１５を縦長として、ディスプレイパネル部１１に画像を表示させているかを示す情報を要求すると、オペレーティングシステム２０１から、横長または縦長のいずれかの表示の方向を示す情報が送信されてくるので、この情報を受信することで、画面１５の表示の方向を取得する。
【０１５７】
ステップＳ６２において、角度検出部１８１は、角度センサ１０１から供給される、ディスプレイパネル部１１の角度を示す信号を取得して、ディスプレイパネル部１１の角度を検出する。
【０１５８】
ステップＳ６３において、判定部１８２は、画面１５を横長として、ディスプレイパネル部１１に画像を表示させているか否かを判定し、画面１５を横長として画像を表示させていると判定された場合、ステップＳ６４に進み、ディスプレイパネル部１１の角度が７０度以上であるか否かを判定する。
【０１５９】
ステップＳ６４において、ディスプレイパネル部１１の角度が７０度以上であると判定された場合、ステップＳ６５に進み、表示指示部１８５は、画面１５を縦長として、ディスプレイパネル部１１に画像を表示させるように、画像の表示の方向の切り替えをマザーボード１２２に指示して、ステップＳ６１に戻り、上述した処理を繰り返す。
【０１６０】
ステップＳ６４において、ディスプレイパネル部１１の角度が７０度未満であると判定された場合、ステップＳ６５はスキップされ、画像の表示の方向の切り替えを指示しないで、ステップＳ６１に戻り、上述した処理を繰り返す。
【０１６１】
ステップＳ６３において、画面１５を縦長として画像を表示させていると判定された場合、ステップＳ６６に進み、判定部１８２は、ディスプレイパネル部１１の角度が２０度未満であるか否かを判定する。
【０１６２】
ステップＳ６６において、ディスプレイパネル部１１の角度が２０度未満であると判定された場合、ステップＳ６７に進み、表示指示部１８５は、画面１５を横長として、ディスプレイパネル部１１に画像を表示させるように、画像の表示の方向の切り替えをマザーボード１２２に指示して、ステップＳ６１に戻り、上述した処理を繰り返す。
【０１６３】
ステップＳ６６において、ディスプレイパネル部１１の角度が２０度以上であると判定された場合、ステップＳ６７はスキップされ、画像の表示の方向の切り替えを指示しないで、ステップＳ６１に戻り、上述した処理を繰り返す。
【０１６４】
このようにすることで、ディスプレイパネル部１１の角度が２０度と７０度との間にある場合に、ディスプレイパネル部１１の回動の向きを変えたときであっても、画像の表示の方向の切り替えが何度も指示されることがなく、確実に、かつ短時間で、画像の表示の方向を切り替えることができるようになる。
【０１６５】
また、上述したように、ディスプレイパネル部１１が、パネル本体接続軸３２よって回動自在に軸持され、スライダ３１が、パネル本体接続軸３２を昇降自在に保持し、スライダ３１の位置が、上下方向の直線上を移動するように、ガイドレール３３によって規制され、さらに、ディスプレイパネル部１１の上下方向の位置が、ガイド３６によって規制されるので、回動の向きを一定にして、ディスプレイパネル部１１を回動させることができる。回動の向きを一定にして、ディスプレイパネル部１１が回動されるので、画像の表示の方向の切り替えが何度も指示されることがなく、確実に、かつ短時間で、画像の表示の方向を切り替えることができるようになる。
【０１６６】
また、バックライト１０４が消灯されている場合に、画像の表示の方向が切り替えられるので、乱れた画像が表示されることがなく、表示装置１の美観を損なうことなく画面を切り替えることができる。
【０１６７】
図１６は、画面の切り替えの処理を説明するフローチャートである。ステップＳ８１において、オペレーティングシステム２０１は、マイクロコンピュータ１２１から、画面１５を縦長として画像を表示させるように、画像の表示の方向の切り替えが指示されたか否かを判定する。
【０１６８】
ステップＳ８１において、画面１５を縦長として画像を表示させるように、画像の表示の方向の切り替えが指示されたと判定された場合、ステップＳ８２に進み、オペレーティングシステム２０１のアプリケーションプログラム実行制御部２２１は、アプリケーションプログラム２０２に、実行中のスライドショーを停止させる。アプリケーションプログラム２０２は、スライドショーを実行している場合には、スライドショーを停止し、スライドショーを実行していない場合には、現在実行している処理を継続する。
【０１６９】
ステップＳ８３において、オペレーティングシステム２０１の画面方向切り替え部２２２は、画面１５を縦長として画像を表示させるように、画像の表示の方向を切り替える。ステップＳ８４において、オペレーティングシステム２０１のアプリケーションプログラム実行制御部２２１は、アプリケーションプログラム２０２に、静止画像を全画面に表示させて、ステップＳ８１に戻り、上述した処理を繰り返す。例えば、ステップＳ８４において、アプリケーションプログラム実行制御部２２１は、アプリケーションプログラム２０２に、スライドショーを停止する前にスライドショーにおいて表示されていた静止画像を全画面に表示させる。アプリケーションプログラム２０２は、縦長の状態にあるディスプレイパネル部１１の画面１５に静止画像を全画面表示させる。
【０１７０】
ステップＳ８１において、画面１５を縦長として画像を表示させるように、画像の表示の方向の切り替えが指示されていないと判定された場合、ステップＳ８５に進み、オペレーティングシステム２０１は、マイクロコンピュータ１２１から、画面１５を横長として画像を表示させるように、画像の表示の方向の切り替えが指示されたか否かを判定する。
【０１７１】
ステップＳ８５において、画面１５を横長として画像を表示させるように、画像の表示の方向の切り替えが指示されたと判定された場合、ステップＳ８６に進み、オペレーティングシステム２０１のアプリケーションプログラム実行制御部２２１は、アプリケーションプログラム２０２に、実行中のスライドショーを停止させる。アプリケーションプログラム２０２は、スライドショーを実行している場合には、スライドショーを停止し、スライドショーを実行していない場合には、現在実行している処理を継続する。
【０１７２】
ステップＳ８７において、オペレーティングシステム２０１の画面方向切り替え部２２２は、画面１５を横長として画像を表示させるように、画像の表示の方向を切り替える。ステップＳ８８において、オペレーティングシステム２０１のアプリケーションプログラム実行制御部２２１は、アプリケーションプログラム２０２に、静止画像を全画面に表示させて、ステップＳ８１に戻り、上述した処理を繰り返す。例えば、ステップＳ８８において、アプリケーションプログラム実行制御部２２１は、アプリケーションプログラム２０２に、スライドショーを停止する前にスライドショーにおいて表示されていた静止画像を全画面に表示させる。プリケーションプログラム２０２は、横長の状態にあるディスプレイパネル部１１の画面１５に静止画像を全画面表示させる。
【０１７３】
ステップＳ８５において、画面１５を横長として画像を表示させるように、画像の表示の方向の切り替えが指示されていないと判定された場合、ステップＳ８１に戻り、上述した処理を繰り返す。
【０１７４】
このように、実行中のスライドショーが停止させられてから、画像の表示の方向が切り替えられる。画像の表示の方向が切り替えられると、静止画像が全画面表示される。すなわち、ディスプレイパネル部１１に表示される画像の向きを切り替える場合、継続して実行されている時間の経過に応じた表示の処理を停止し、時間の経過に関係しない表示の処理を実行するようにしたので、演算量を必要とする画像の表示の方向の切り替えの処理を確実に実行することができるようになる。
【０１７５】
継続して実行されている時間の経過に応じた表示の処理を実行したまま、画像の表示の方向の切り替えの処理を実行すると、大きな演算の負荷がかかることになり、その結果、画像の表示の方向の切り替えの処理が途中で停止してしまうことがある。
【０１７６】
継続して実行されている時間の経過に応じた表示の処理を停止することで、画像の表示の方向の切り替えの処理が確実に実行される。
【０１７７】
また、画像の表示の方向の切り替えの処理の後、静止画像を全画面に表示させるようにしたので、使用者に画像の鑑賞を継続させることができる。
【０１７８】
以上のように、画像の表示および標章の表示について、適切なディレイやヒステリシス制御がなされるので、チャタリングが防止され、表示を円滑に切り替えることができる。
【０１７９】
本発明によれば、混在している多数の縦長の画像または横長の画像を表示させる場合であっても、手軽に、高品位に、より大きく表示した画像を閲覧することができるようになる。
【０１８０】
このように、表示される画像の向きを切り替えるように、表示部の表示を制御するようにした場合には、画像の向きを切り替えることができる。また、表示部を回動自在に軸支し、軸支手段を昇降自在に保持し、表示部が、回動させられて、台座に対して斜めの状態にある場合、表示部を台座に対して上昇させるように、表示部の上下方向の位置を規制し、表示部の回動の角度を検出し、検出された角度に応じて、表示部に表示される画像の向きの切り替えを指示し、画像の向きの切り替えの指示に応じて、表示部に表示される画像の向きを切り替えるように、表示部の表示を制御するようにした場合には、より確実に、画面の回動に応じて画像の向きを切り替えることができる。
【０１８１】
表示部の回動の角度を検出し、検出された角度に応じて、表示部に表示される画像の向きの切り替えを指示し、画像の向きの切り替えの指示に応じて、表示部に表示される画像の向きを切り替えるように、表示部における表示を制御するようにした場合には、より確実に、画面の回動に応じて画像の向きを切り替えることができる。
【０１８２】
また、表示部の回動の角度を検出し、検出された角度に応じて、表示部に表示される画像の向きの切り替えを表示制御手段に指示するようにした場合には、より確実に、画面の回動に応じて画像の向きを切り替えることができる。
【０１８３】
なお、２０度または７０度で切り替えると説明したが、２０度または７０度は、一例であり、これに限らず、基準とする角度を任意に選択することができる。
【０１８４】
また、表示される画像は静止画像に限らず、動画像であってもよい。
【０１８５】
なお、ディスプレイパネル部１１は、LCDからなると説明したが、これに限らず有機EL（Electro Luminescence）ディスプレイまたはプラズマディスプレイなど他の方式で表示するものであってもよい。自発光方式のディスプレイを設けた場合、バックライト１５の点滅に代えて、ディスプレイの輝度が制御される。
【０１８６】
また、画面１５の縦横比は、３対４であると説明したが、これに限らず、１６対９またはその他の比率であってもよい。
【０１８７】
なお、画像を表示する表示装置１を一例に説明したが、これに限らず、本発明は、据え置いて画像を表示する装置に適用することができ、例えば、パーソナルコンピュータ、テレビジョン受像機、または各種のプレーヤに接続して画像を表示するモニタ装置（ディスプレイ装置）などに適用することができる。
【０１８８】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１８９】
コンピュータにインストールされ、コンピュータによって実行可能な状態とされるプログラムを格納するプログラム記録媒体は、図１０に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア１６１、または、プログラムが一時的もしくは永続的に格納されるROM１５２や、記憶部１５８を構成するハードディスクなどにより構成される。プログラム記録媒体へのプログラムの格納は、必要に応じてルータ、モデムなどのインタフェースである通信部１５９を介して、ローカルエリアネットワーク、インターネット、デジタル衛星放送といった、有線または無線の通信媒体を利用して行われる。
【０１９０】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１９１】
また、本明細書において、システムとは、複数の装置により構成される装置全体を表すものである。
【０１９２】
なお、本発明の実施の形態は、上述した実施の形態に限定されるものではなく、本発明の要旨を逸脱しない範囲において種々の変更が可能である。
【図面の簡単な説明】
【０１９３】
【図１】本発明の一実施の形態の表示装置の外観を示す図である。
【図２】表示装置の内部の機構を示す図である。
【図３】表示装置の内部の構成を拡大して示す図である。
【図４】ディスプレイパネル部の回動の状態を示す図である。
【図５】回動させられたディスプレイパネル部の位置を示す図である。
【図６】バネにより加えられる上向きの力の大きさと、ディスプレイパネル部の回動のさせ始めに必要な力およびディスプレイパネル部が下がりきるまでに必要な時間との関係を示す図である。
【図７】ディスプレイパネル部に設けられた滑りテープを示す図である。
【図８】本体部に設けられた支持部を示す図である。
【図９】表示装置の機能の構成を示すブロック図である。
【図１０】マザーボードの構成の例を示すブロック図である。
【図１１】プログラムを実行するマイクロコンピュータにより実現される機能の構成を示すブロック図である。
【図１２】マザーボードのCPUにより実行されるプログラムの構成を示すブロック図である。
【図１３】起動の処理を説明するフローチャートである。
【図１４】照明の切り替えの処理を説明するフローチャートである。
【図１５】画面の切り替えの指示の処理を説明するフローチャートである。
【図１６】画面の切り替えの処理を説明するフローチャートである。
【符号の説明】
【０１９４】
１  表示装置，  １１  ディスプレイパネル部，  １２  本体部，  １３  ロゴ表示部，  １４  ロゴ表示部，  １５  画面，  ３１  スライダ，  ３１Ａ  ラック，  ３２  パネル本体接続軸，  ３３  ガイドレール，  ３４  バネ，  ３５  ダンパ，  ３５Ａ  歯車，  ３６  ガイド，  ３７  ベアリング，  １０１  角度センサ，  １０２  ロゴ照明部，  １０３  ロゴ照明部，  １０４  バックライト，  １２１  マイクロコンピュータ，  １２２  マザーボード，  １５１  CPU，  １５２  ROM，  １５３  RAM，  １５８  記憶部，  １６１  リムーバブルメディア，  １８１  角度検出部，  １８２  判定部，  １８３  バックライト点灯制御部，  １８４  ロゴ照明点灯制御部，  １８５  表示指示部，  ２０１  オペレーティングシステム，  ２０２  アプリケーションプログラム，  ２２１  アプリケーションプログラム実行制御部，  ２２２  画面方向切り替え部
【図１】
2007033960.tif 000003
【図２】
2007033960.tif 000004
【図３】
2007033960.tif 000005
【図４】
2007033960.tif 000006
【図５】
2007033960.tif 000007
【図６】
2007033960.tif 000008
【図７】
2007033960.tif 000009
【図８】
2007033960.tif 000010
【図９】
2007033960.tif 000011
【図１０】
2007033960.tif 000012
【図１１】
2007033960.tif 000013
【図１２】
2007033960.tif 000014
【図１３】
2007033960.tif 000015
【図１４】
2007033960.tif 000016
【図１５】
2007033960.tif 000017
【図１６】
2007033960.tif 000018